(57)【特許請求の範囲】
【請求項１】
建物の内側と外側のそれぞれに少なくとも一つ以上の人の出入りや物の搬出入が可能な出入口を有すると共に内壁面が円筒状に形成された本体と、前記本体の内部であって且つ前記円筒状の内壁面の軸心を中心とする円周上に設けられると共に背面側の吸気口及び前面側の噴出口を有して前記本体の床から天井の全高に亘って空気を水平方向に噴出する複数の柱状の送風装置とを備え、前記送風装置が前記円周の接線方向で且つ同一の回転方向になる向きに空気を噴出して前記本体の内部に回転する空気流を形成することを特徴とする空気回転ドア装置。
【請求項２】
前記本体の内側の天井の形状が、周縁部よりも中央部分が高い円錐状又は周縁部よりも中央部分が低い円錐状であることを特徴とする請求項１記載の空気回転ドア装置。
【請求項３】
前記本体の内側の床の形状が、周縁部よりも中央部分が高い同心円状の階段であることを特徴とする請求項１または２記載の空気回転ドア装置。
【請求項４】
前記建物の内側の出入口と前記建物の外側の出入口の設置位置の高さが異なり、前記内側の出入口と前記外側の出入口とを結ぶ通路を有することを特徴とする請求項１または２記載の空気回転ドア装置。
【請求項５】
前記出入口に必要に応じて開閉するドアを備えることを特徴とする請求項１から４のいずれか一つに記載の空気回転ドア装置。
【発明の詳細な説明】
【技術分野】
【０００１】
本発明は、空気回転ドア装置に関する。さらに詳述すると、本発明は、例えば店舗やビル等の出入口部に設けられる空気回転ドア装置に関する。
【背景技術】
【０００２】
建物の出入口に自動ドアを設置した場合には、人の出入りによって自動ドアが開くたびに建物内外の空気の出入りが起こり、建物の空調の効率が低下するという問題があった。そこで、主に建物の空調の効率の観点から建物の出入口での空気の出入りを制限するため、建物の出入口の通過方向に自動ドアを二つ並べる二重自動ドアや、円筒状の本体とその内部に回転する仕切りのパネルとを有する回転ドアが用いられている。
【０００３】
従来の回転ドアとしては、例えば特許文献１記載の回転ドア装置がある。
【０００４】
この回転ドア装置１００は、図６の（Ａ）及び（Ｂ）に示すように、筒壁体１０１と、出入口部の上下に回転自在に支持される上下一対の上側回転体ユニット１０３及び下側回転体ユニット１０４と、これら上側及び下側回転体ユニット１０３及び１０４からそれぞれ放射状に延出する複数の上側パネル支持体１０５及び下側パネル支持体１０６と、これら上側及び下側パネル支持体１０５及び１０６に上側支持受け体１０７及び下側支持受け体１０８を介して上下縁部が支持される複数のパネル体１０２とを備えて構成するものである。
【０００５】
【特許文献１】特開２００５−６８８９４号
【発明の開示】
【発明が解決しようとする課題】
【０００６】
しかしながら、特許文献１の回転ドア装置は、回転ドア装置内を仕切るパネル体が回転することにより回転ドア装置を通過することを可能とするものであり、回転ドア装置に進入する際及び回転ドア装置から出る際に、回転するパネル体と建物の出入口部に固定されている筒壁体とに人や物が挟まれてしまう可能性がある。このため、特に、例えば老人、身体障害者、車椅子利用者、乳母車利用者、荷物を持った人など機敏に動けない人あるいは機敏に動きづらい人や子供にとっては安全であるとは言い難い。
【０００７】
また、従来の回転ドア装置では、駆動装置によって回転ドア装置内のパネル体を回転させている場合には、その回転に合わせてでなければ回転ドア装置を通過することができないため、人の出入りがパネル体の回転速度に左右される。しかしながら、高速回転の場合には、パネル体と筒壁体とに人や物が挟まれる事故に繋がる危険性が高まり、また、高速回転のために恐怖感を与えたり入りづらい人もいるという問題がある。一方、低速回転の場合には、人の出入りを捌くことができず、また、パネル体の動きが遅いためにパネル体にぶつかって躓いてしまう事故に繋がったり、歩調と合わないためにいらいら感を与えるという問題がある。
【０００８】
また、パネル体を回転させる駆動装置を有さない場合には、パネル体を自分で押しながらでなければ回転ドア装置を通過することができないため、回転ドア装置内のパネル体が回転ドア装置を通過する際の障害物となり、短時間のうちに多数の人が円滑且つ迅速に回転ドア装置を通過することができない。このため、例えば火災等の災害時に緊急に避難しなければならない場合などに建物の内部にいた人が円滑且つ迅速に避難することができず、この点からも安全であるとは言い難い。
【０００９】
更に、回転ドア装置の筒壁体とパネル体とで仕切られた空間に閉じ込められながら通過しなければならず、閉塞感があり、不快感・不安感を与えてしまう。
【００１０】
このように、従来の回転ドア装置では、いずれにしても自由な出入りができないことのもどかしさがある。
【００１１】
そこで、本発明は、建物の空調の効率を低下させることがなく、更に、回転ドア装置内のパネル体と回転ドア装置の外壁とに挟まれてしまう事故を防止できると共に円滑・迅速且つ快適に通過できる回転ドア装置を提供することを目的とする。
【課題を解決するための手段】
【００１２】
かかる目的を達成するため、請求項１記載の空気回転ドア装置は、建物の内側と外側のそれぞれに少なくとも一つ以上の人の出入りや物の搬出入が可能な出入口を有すると共に内壁面が円筒状に形成された本体と、本体の内部であって且つ円筒状の内壁面の軸心を中心とする円周上に設けられると共に背面側の吸気口及び前面側の噴出口を有して本体の床から天井の全高に亘って空気を水平方向に噴出する複数の柱状の送風装置とを備え、送風装置が円周の接線方向で且つ同一の回転方向になる向きに空気を噴出して本体の内部に回転する空気流を形成するようにしている。
【００１３】
したがって、この空気回転ドア装置によると、ドア装置内に回転する空気流を形成することにより建物内部と外部との間の空気の出入りを制限することができる。更に、ドア装置内にパネル体を設けないようにすることにより、ドア装置内のパネル体とドア装置の外壁とに人や物が挟まれる事故を防止することができると共に何の障害もなくドア装置を通過することができる。即ち、この空気回転ドア装置によると空気の出入りは遮蔽するが、人や物の出入りに際しては一切障害とならない。
【００１４】
また、請求項２記載の発明は、請求項１記載の空気回転ドア装置において、本体の内側の天井の形状が、周縁部よりも中央部分が高い円錐状又は周縁部よりも中央部分が低い円錐状であるようにしている。この場合には、本体の内部で回転する空気流の径方向の乱れを抑制することができる。
【００１５】
また、請求項３記載の発明は、請求項１または２記載の空気回転ドア装置において、本体の内側の床の形状が、周縁部よりも中央部分が高い同心円状の階段であるようにしている。この場合には、本体の内側に設けた階段が暖気の下に潜り込むようにして流れ込む冷気を堰き止めることができる。
【００１６】
また、請求項４記載の発明は、請求項１または２記載の空気回転ドア装置において、建物の内側の出入口と建物の外側の出入口の設置位置の高さが異なり、内側の出入口と外側の出入口とを結ぶ通路を有するようにしている。この場合には、高い位置に設けられた出入口の下の壁が、下から潜り込むようにして流れ込む建物外部の冷気を堰き止めることができる。
【００１７】
また、請求項５記載の発明は、請求項１から４のいずれか一つに記載の空気回転ドア装置において、出入口に必要に応じて開閉するドアを備えるようにしている。この場合には、特に強風の場合や人の出入りが途切れているときにはドアの開閉を制御することにより、建物内部と外部との間の空気の出入りをより確実に遮断することができる。
【発明の効果】
【００１８】
請求項１記載の空気回転ドア装置によれば、建物内部と外部との間の空気の出入りを制限することができるので、建物内外の熱交換を抑制して建物の空調の効率の低下を防止することが可能である。更に、ドア装置内のパネル体とドア装置の外壁とに人や物が挟まれる事故を防止することができると共に何の障害もなくドア装置を通過することができるので、ドア装置の通過の際の安全性、円滑性・迅速性、快適性の向上を図ることが可能である。
【００１９】
また、請求項２記載の空気回転ドア装置によれば、本体の内部で回転する空気流の径方向の乱れを抑制することができるので、空気流をより整流化させることが可能である。
【００２０】
また、請求項３記載の空気回転ドア装置によれば、本体の内側に設けた階段が暖気の下に潜り込むようにして流れ込む冷気を堰き止めることができるので、建物内部と外部との間の空気の出入りを更に制限し、建物内外の熱交換を抑制して建物の空調の効率の低下を更に防止することが可能である。
【００２１】
また、請求項４記載の空気回転ドア装置によれば、高い位置に設けられた出入口の下の壁が、下から潜り込むようにして流れ込む建物外部の冷気を堰き止めることができるので、建物内部と外部との間の空気の出入りを更に制限し、建物内外の熱交換を抑制して建物の空調の効率の低下を更に防止することが可能である。
【００２２】
また、請求項５記載の空気回転ドア装置によれば、建物内部と外部との間の空気の出入りをより確実に遮断することができるので、建物の空調の効率の低下を更に確実に防止することが可能である。
【発明を実施するための最良の形態】
【００２３】
以下、本発明の構成を図面に示す最良の形態に基づいて詳細に説明する。
【００２４】
図１に、本発明の空気回転ドア装置の実施形態の一例を示す。
【００２５】
この空気回転ドア装置１は、図１に示すように、建物の出入口部に設置されて建物の躯体９によって仕切られる建物の内部１０ａと外部１０ｂとの間の人の行き来を可能にするものであって、円筒状の本体２と、本体２の内部で空気を水平方向に噴出する柱状の送風装置３とを備え、送風装置３が円周５の接線方向で且つ同一の回転方向になる向き６に空気を噴出して本体２の内部に回転する空気流７を形成するようにしている。
【００２６】
本体２は軸心鉛直の円筒状に形成される。なお、本体２は、その内部に回転する空気流７を形成し易くするために内壁面が円筒状であることが好ましく、空気流７を形成することができれば楕円の筒状であっても構わない。また、本体２の外形は特に限定されるものではなく、例えば矩形であっても構わない。
【００２７】
本体２の内側の天井の形状は、水平面でも良いし（図３（Ａ））、又は、周縁部よりも中央部分が高い円錐状にしたり（図３（Ｂ））、周縁部よりも中央部分が低い円錐状にしても良い（図３（Ｃ））。中央部分の高さを変えて回転対称の形状を有する天井とすることにより、本体２の内部で回転する空気流７の径方向の乱れを抑制し、空気流７をより整流化させることができる。
【００２８】
本体２は、建物の出入口部として通常必要とされる強度や耐久性を有する材料により形成されていれば良く、具体的には例えばガラス、合成樹脂、金属、コンクリート等が考えられる。また、単一の材料で形成しても良いし又は複数の材料を組み合わせて形成しても良い。更に、透明の材料で形成しても良いし又は不透明の材料で形成しても良い。
【００２９】
また、本体２は、空気回転ドア装置１の人や物の通過を可能にするための出入口２ａ、２ｂ、２ｃ及び２ｄ（以下、出入口２ａ〜２ｄと表記する）を有する。出入口２ａ〜２ｄの大きさは少なくとも人が一人通ることができる幅や高さとする。ここで、出入口２ａ〜２ｄの幅が大き過ぎると空気流が本体２の外部に拡散してしまい本体２の内部に回転する空気流７を形成することができなくなってしまうので、空気流が本体２の外部に拡散することがないように出入口２ａ〜２ｄの幅を適宜調整する。
【００３０】
また、本実施形態では、空気回転ドア装置１の両側の建物の躯体９を結ぶ線と円周５との交点に二つの送風装置３を設置し、それら送風装置３とそれぞれ９０度おきになる円周５上に更に二つの送風装置３を設置している。したがって、建物の内部１０ａ並びに外部１０ｂから空気回転ドア装置１をみた場合に丁度正面の位置に送風装置３が設置されている。そして、その正面の送風装置３を挟むようにして建物の内部１０ａ側の本体２の側面の左右の二箇所に出入口２ａ及び２ｃを設け、更に建物の外部１０ｂ側の本体２の側面の左右の二箇所に出入口２ｄ及び２ｂを設けている。このように送風装置３並びに出入口２ａ〜２ｄを配置することにより、人の流れ８上には何の障害物もなく、空気回転ドア装置１を円滑に通過することができるようになる。ここで、円周５は、本体２の円筒状の内壁面の軸心を中心として半径がこの内壁面の半径よりも小さい円周である。円周５の半径は、回転する空気流７の半径が本体２の内部の円筒状の空間の大きさと比べて小さくなり過ぎないように適宜調整する。
【００３１】
送風装置３は鉛直な柱状に形成され、本体２の床から天井までの全高若しくはほぼ全高に亘って空気を水平方向に噴出する。送風装置３の上部と下部は本体２の天井と床にネジ止め等の手段により固定される。送風装置３としては例えば建物の出入口の上部に設置されエアカーテンを形成するために従来から用いられてきた送風装置を用いることができる。具体的には例えば、送風装置３の背面３ｂ側に吸気口を有すると共に送風装置３の前面３ａ側に噴出口を有する送風ファンを鉛直方向に積み上げて構成した送風装置を用いることができる。
【００３２】
また、送風装置３は、送風装置３が設置されている地点での円周５の接線方向で、且つ、全ての送風装置３の空気を噴出する向きが同一の回転方向になる向き６に空気を噴出する。具体的には、全ての送風装置３の空気を噴出する向きが円周５を右回りで回る向き若しくは左回りで回る向きで揃うようにする。本実施形態では、いずれの送風装置３も円周５を右回りで回る向きに空気を噴出している。そして、本体２の内部に右回りに回転する空気流７を形成するようにしている。
【００３３】
送風装置３の風速は、本体２の大きさも考慮し、送風装置３によって空気を噴出することにより回転する空気流７を少なくとも形成することができる風速とする。なお、本発明は複数の送風装置３を用いて本体２の内部に回転する空気流７を形成してそれにより建物の内部１０ａと外部１０ｂとの空気の出入りを制限するようにしているので、本体２の大きさにもよるが、従来からエアカーテンを形成する際に用いられてきた送風装置の風速であれば十分である。
【００３４】
ここで、建物内外の熱交換を抑制して建物の空調の効率の低下を防ぐためには、建物内部と外部との間の空気の出入りを制限することが有効である。そして、空気の出入りを制限するためには、空気の塊（バルクとも呼ばれる）としての流れを作らないことが有効である。具体的には、図２に示すように、例えば建物内部の暖気１１と建物外部の冷気１３の出入りの制限について、建物の出入口部１５における暖気１１の流れ１２と冷気１３の流れ１４を作らないようにすることが重要である。本発明では本体２の内部に回転する空気流７を形成することにより、建物の内部１０ａと外部１０ｂの空気の出入りを制限することができるので、建物内外の熱交換を抑制して建物の空調の効率の低下を防止することが可能となる。なお、図２において符号１６は建物の躯体である。
【００３５】
また、図２に示すような例えば建物内部の暖気１１と建物外部の冷気１３の出入りを更に制限するため、本体２の内側の床の高さに傾斜を設けるようにしても良い。具体的には例えば、図４に示すように、周縁部よりも中央部分が高い同心円状の階段を設けることが考えられる（図４（Ａ））。この場合には、本体２の内側に設けた階段が暖気の下に潜り込むようにして流れ込む冷気を堰き止めることができるので、建物内部と外部との間の空気の出入りを更に制限し、建物内外の熱交換を抑制して建物の空調の効率の低下を更に防止することが可能となる。また、本体２内側の床の形状を床の中心に対して回転対称とすることにより（図４（Ｂ））、本体２の内部で回転する空気流７の径方向の乱れを抑制することができるので、建物内部と外部との間の空気の出入りを制限すると共に空気流７を整流化することができ、更に建物の空調の効率の低下を防止することが可能となる。
【００３６】
また、図２に示すような例えば建物内部の暖気１１と建物外部の冷気１３の出入りを更に制限するため、建物の内側の出入口と外側の出入口とで設置位置の高さを変えるようにしても良い。具体的には例えば、図５に示すように、建物の外側の出入口を例えば地面と同じ高さにすると共に建物の内側の出入口を外側の出入口よりも高い位置に設け、本体２の内側に踏み板で構成された半螺旋状の階段を設けて人の出入りを行うようにすることが考えられる。この場合にも、高い位置に設けられた出入口の下の壁が、下から潜り込むようにして低い位置に設けられた出入口から流れ込む建物外部の冷気１３を堰き止めることができるので、建物内部と外部との間の空気の出入りを更に制限し、建物内外の熱交換を抑制して建物の空調の効率の低下を更に防止することが可能となる。この場合には、本体２の中央に設けた円柱状の支柱と本体２の内壁面とで階段の踏み板を支持する。また、踏み板はできる限り薄い方が望ましい。なお、図５の符号８は出入口における人の流れである。この構成の空気回転ドア装置は、建物外側の地面と建物内側の床面の高さがもともと異なる場合や、建物外側の地面と建物内側の床面の高さが同じ場合には空気回転ドア装置の出入口と建物外側の地面又は建物内側の床面とを繋ぐ階段等を設けることにより適用することができる。
【００３７】
また、例えば強風の場合や人の出入りが途切れているときに建物内部と外部との間の空気の出入りをより確実に遮断するために出入口２ａ〜２ｄのそれぞれにドア４ａ、４ｂ、４ｃ及び４ｄ（以下、ドア４ａ〜４ｄと表記する）を設けるようにしても良い。ドア４ａ〜４ｄは本体２の外壁面の曲率半径と比べて僅かに大きい曲率半径を有する円弧状に形成され、本体２の外壁面に沿って移動する。なお、ドア４ａ〜４ｄは手動ドアでも良いし又は自動ドアでも良い。具体的には例えば、出入口２ａ〜２ｄにドア４ａ〜４ｄとして自動ドアを設けた場合には、風が強い場合には出入口２ａ〜２ｄを自動開閉できるようになり、強風による建物内外の空気の出入りを遮断することができる。
【００３８】
更に、特に図示していないが、例えば夜間における外部からの侵入防止等の防犯上の理由などから空気回転ドア装置１の人や物の通行を完全に制限する必要がある場合には、出入口２ａ〜２ｄを閉鎖する扉やシャッター等を設けても良い。この際、前記のドア４ａ〜４ｄを設けている場合にはドア４ａ〜４ｄを防犯用の扉やシャッターとしても用いるようにしても良いし、又はドア４ａ〜４ｄとは別に防犯用の扉やシャッターを設けるようにしても良い。
【００３９】
なお、上述の形態は本発明の好適な形態の一例ではあるがこれに限定されるものではなく、本発明の要旨を逸脱しない範囲において種々変形実施可能である。例えば、本実施形態では、本体２に設ける出入口の箇所数は四箇所としているが、これに限られず、出入口は建物の躯体９を境に建物の内部１０ａ側と外部１０ｂ側のそれぞれに少なくとも一つ以上設ければ良く、例えば二箇所や三箇所でも良い。具体的には例えば、建物の内部１０ａ側の本体２の中央及び建物の外部１０ｂ側の本体２の中央にそれぞれ一箇所ずつ出入口を設け、合計で二箇所の出入口を設けるようにしても良い。なお、この場合には、上述の実施形態の通りに送風装置３を設置すると出入口の位置と送風装置３の位置が重なって空気回転ドア装置１の通過の障害となるため、全ての送風装置３の設置位置を同一の円周方向の向きにそれぞれ４５度ずつずらすようにする。
【００４０】
また、本実施形態では、送風装置３の設置数は四機としているが、これに限られず、本体２の内部に回転する空気流７を形成することが可能であれば、例えば二機や三機であっても良いし又は五機以上であっても良い。
【００４１】
更に、本実施形態では、出入口２ａ〜２ｄの全てにドア４ａ〜４ｄを設けるようにしているが、これに限られず、空気回転ドア装置１の出入口２ａ〜２ｄの運用パターンに必要なドアだけを設けるようにしても良い。具体的には例えば、建物に出入りする人が少なく空気回転ドア装置１を通過する人が少ない時間帯では出入口２ｃ及び２ｄを常に締め切る場合にはドア４ｃ及び４ｄのみを設けるようにしても良い。
【図面の簡単な説明】
【００４２】
【図１】本発明の空気回転ドア装置の実施形態の一例の概略構造を示す平面図である。
【図２】建物の出入口部の通過方向の断面図であって、出入口部における暖気の流れと冷気の流れの概念を説明する図である。
【図３】本体の内側の天井の形状を説明する概略図である。（Ａ）は天井が水平の場合の縦断面図である。（Ｂ）は周縁部よりも中央部分が高い円錐状の天井の場合の縦断面図である。（Ｃ）は周縁部よりも中央部分が低い円錐状の天井の場合の縦断面図である。
【図４】本体の内側の床の形状を説明する概略図である。（Ａ）は縦断面図である。（Ｂ）は横断面図である。
【図５】建物の内側の出入口と外側の出入口の設置位置の高さが異なる場合を説明する図である。（Ａ）は縦断面図である。（Ｂ）は横断面図である。
【図６】従来の回転ドア装置の概略図である。（Ａ）は概略正面図である。（Ｂ）は概略平面図である。
【符号の説明】
【００４３】
１  空気回転ドア装置
２  本体
２ａ、２ｂ、２ｃ、２ｄ  出入口
３  送風装置
４ａ、４ｂ、４ｃ、４ｄ  ドア
５  円周
６  円周の接線方向で且つ同一の回転方向になる向き
７  空気流
１０ａ  建物の内部
１０ｂ  建物の外部
【図３】
0004833660.tif 000002
【図４】
0004833660.tif 000003
【図５】
0004833660.tif 000004
【図６】
0004833660.tif 000005
【図１】
0004833660.tif 000006
【図２】
0004833660.tif 000007